(57)【要約】【課題】  簡易な構成で、エレベータ内の各設備の点検作業を支援することが可能なエレベータの点検作業支援システム、およびこれに利用する点検作業支援装置、点検作業支援方法を提供する。【解決手段】  実施形態によれば点検作業支援装置は、点検項目データベースとマーカ情報解析部と稼動状態判定部と点検情報出力部とを備える。点検項目データベースは、点検用品ごとの点検項目と実施可能条件とを格納する。マーカ情報解析部は、エレベータ内の点検用品の識別情報を有して対応する点検用品またはその近辺に貼付されたマーカから、点検用品の識別情報を取得する。稼動状態判定部は、解析により取得された点検用品の識別情報に対応する点検項目と実施可能条件とを抽出し、点検項目ごとに、エレベータの現在の稼動状態が該当する実施可能条件を満たすか否かを判定する。点検情報出力部は、判定された結果を出力する。【選択図】図１
2017119552.tif 000002
【特許請求の範囲】
【請求項１】
建物に設置されたエレベータ内の点検用品の識別情報を有し、対応する点検用品またはその近辺に貼付されたマーカと、作業員に所持される点検作業支援装置とを備え、
前記点検作業支援装置は、
予め設定された、前記エレベータ内の点検用品ごとの点検項目と、前記点検項目ごとの点検作業を実施するための前記エレベータの稼動状態の条件である実施可能条件とを格納した点検項目データベースと、
前記マーカから点検用品の識別情報を取得するマーカ情報解析部と、
前記マーカ情報解析部で取得された点検用品の識別情報に対応する点検項目と、当該点検項目の実施可能条件とを前記点検項目データベースから抽出するとともに、前記エレベータの現在の稼動状態を取得し、抽出した点検項目ごとに、前記エレベータの現在の稼動状態が、該当する実施可能条件を満たすか否かを判定する稼動状態判定部と、
前記稼動状態判定部で判定された結果を出力する点検情報出力部と
を備えることを特徴とするエレベータの点検作業支援システム。
【請求項２】
前記マーカは、対応する点検用品の識別情報を示した表示物で構成され、
前記点検作業支援装置は、前記マーカを撮影する撮像部をさらに有し、
前記マーカ情報解析部は、前記撮像部で撮影されたマーカの撮像情報を解析して、当該マーカで示される点検用品の識別情報を取得する
ことを特徴とする請求項１に記載のエレベータの点検作業支援システム。
【請求項３】
前記マーカは、対応する点検用品の設置場所を示す情報を有し、
前記点検作業支援装置のマーカ情報解析部は、前記撮像部で撮影されたマーカの撮像情報を解析して、当該マーカで示される点検用品の識別情報および設置場所の情報を取得し、
前記点検情報出力部は、前記マーカ情報解析部で取得された識別情報に対応する点検用品と同じ設置場所の他の点検用品で点検が完了していない点検項目を表示する
ことを特徴とする請求項２に記載のエレベータの点検作業支援システム。
【請求項４】
前記点検情報出力部は、前記稼動状態判定部で抽出された点検項目を、実施可能条件を満たす点検項目と実施可能条件を満たさない点検項目とで区別し、実施可能条件を満たさない点検項目に対する実施可能条件の情報を付加した表示情報を出力する
ことを特徴とする請求項１〜３いずれか１項に記載のエレベータの点検作業支援システム。
【請求項５】
前記点検作業支援装置は、
前記作業員が発した音声内容を認識する音声認識部と、
前記音声認識部で認識された音声内容が、前記稼動状態判定部で抽出された点検項目のいずれかに対応しているときには、当該音声内容に該当する点検項目を、前記点検情報出力部の出力対象から削除する情報更新部とをさらに有する
ことを特徴とする請求項１〜４いずれか１項に記載のエレベータの点検作業支援システム。
【請求項６】
前記点検作業支援装置は、
前記作業員が、作業を終了した点検用品を指さす動作を行ったときに、当該動作を認識する動作認識部をさらに有し、
前記情報更新部は、前記音声認識部で認識された音声内容が、前記稼動状態判定部で抽出された点検項目のいずれかに対応し、且つ、前記動作認識部で前記作業員により当該点検項目に対応する点検用品を指さす動作が行われたことが認識されると、該当する点検項目を、前記点検情報出力部の出力対象から削除する
ことを特徴とする請求項５に記載のエレベータの点検作業支援システム。
【請求項７】
前記点検作業支援装置は、
前記作業員が作業対象としている点検用品と同じ設置場所のすべての点検用品の点検が完了したと判断されると、点検作業の実施状況を所定形式のテキスト情報で示す点検作業報告書情報を作成する報告書作成部をさらに有する
請求項１〜６いずれか１項に記載のエレベータの点検作業支援システム。
【請求項８】
建物に設置されたエレベータ内の点検用品ごとの点検項目と、前記点検項目ごとの点検作業を実施するための前記エレベータの稼動状態の条件である実施可能条件とを予め格納した点検項目データベースと、
前記エレベータ内の点検用品の識別情報を有し、対応する点検用品またはその近辺に貼付されたマーカから、点検用品の識別情報を取得するマーカ情報解析部と、
前記マーカ情報解析部で取得された点検用品の識別情報に対応する点検項目と、当該点検項目の実施可能条件とを前記点検項目データベースから抽出するとともに、前記エレベータの現在の稼動状態を取得し、抽出した点検項目ごとに、前記エレベータの現在の稼動状態が、該当する実施可能条件を満たすか否かを判定する稼動状態判定部と、
前記稼動状態判定部で判定された結果を出力する点検情報出力部と
を備えることを特徴とするエレベータの点検作業支援装置。
【請求項９】
エレベータの点検作業支援装置が、
建物に設置されたエレベータ内の点検用品ごとの点検項目と、前記点検項目ごとの点検作業を実施するための前記エレベータの稼動状態の条件である実施可能条件とを点検項目データベースに格納する点検情報格納ステップと、
前記エレベータ内の点検用品の識別情報を有し、対応する点検用品またはその近辺に貼付されたマーカから、点検用品の識別情報を取得するマーカ情報解析ステップと、
前記マーカ情報解析ステップで取得された点検用品の識別情報に対応する点検項目と、当該点検項目の実施可能条件とを前記点検項目データベースから抽出するとともに、前記エレベータの現在の稼動状態を取得し、抽出した点検項目ごとに、前記エレベータの現在の稼動状態が、該当する実施可能条件を満たすか否かを判定する稼動状態判定ステップと、
前記稼動状態判定ステップで判定された結果を出力する点検情報出力ステップと
を有することを特徴とするエレベータの点検作業支援方法。
【発明の詳細な説明】
【技術分野】
【０００１】
本発明の実施形態は、エレベータの点検作業支援システム、およびこれに利用する点検作業支援装置、点検作業支援方法に関する。
【背景技術】
【０００２】
通常、エレベータを構成する設備は、乗りかご、乗場、昇降路、ピット、機械室などの様々な場所に設置されており、点検の際には、これらの場所の各設備内の多数の箇所を短時間で効率良く回って作業することが求められる。そのため、予め点検作業の実施項目をまとめたチェックシートやスマートデバイスへの出力情報を作成しておき、これらを用いてチェックをしながら点検作業を行うことで点検漏れを防止するよう、対策がとられている。
【０００３】
しかし、点検作業中は工具を用いたり不安定な体勢を手で支えたりすることがあり、チェックシートへの記入やスマートデバイスの操作等を行うことができない場合が少なくない。
【０００４】
そこで、予め点検場所にカメラ装置を設置し、当該カメラ装置により撮影された撮像情報を用いて点検作業を確認するシステムがある。このようなシステムを用いることにより、作業員が都度チェックシートへの記入やスマートデバイスの操作を手で行うことなく、点検漏れの有無をチェックすることができる。
【先行技術文献】
【特許文献】
【０００５】
【特許文献１】特開２０１１−１４８５７０号公報
【発明の概要】
【発明が解決しようとする課題】
【０００６】
しかし、上述したようなシステムを用いるためには各点検場所にカメラ装置を設置しなければならず、コストがかかるとともに構築のために煩雑な作業が必要になるという問題があった。
【０００７】
また、カメラ装置、ＧＰＳ（Global Positioning System）、および加速度センサ等の機能が搭載された携帯端末を作業員が所持し、これらの機能により得られた情報を用いて点検個所や作業の実施内容を特定するとともに、点検作業の実施状況を確認するシステムがある。
【０００８】
しかし、このシステムでは高度な画像処理技術を用いるため、処理時間が長くなり、タイムリーに作業の確認情報を通知することが困難になるという問題があった。また、エレベータ内の点検作業は建物内を上下方向に移動しながら実施することがほとんどであり、ＧＰＳ機能を用いた作業位置の特定が困難であり、実用性に欠けるという問題があった。
【０００９】
本発明は上記事情に鑑みてなされたものであり、簡易な構成で、エレベータ内の各設備の点検作業を支援することが可能なエレベータの点検作業支援システム、およびこれに利用する点検作業支援装置、点検作業支援方法の提供を目的とする。
【課題を解決するための手段】
【００１０】
上記目的を達成するための実施形態によれば点検作業支援装置は、点検項目データベースとマーカ情報解析部と稼動状態判定部と点検情報出力部とを備える。点検項目データベースは、点検用品ごとの点検項目と実施可能条件とを格納する。マーカ情報解析部は、エレベータ内の点検用品の識別情報を有して対応する点検用品またはその近辺に貼付されたマーカから、点検用品の識別情報を取得する。稼動状態判定部は、解析により取得された点検用品の識別情報に対応する点検項目と実施可能条件とを抽出し、点検項目ごとに、エレベータの現在の稼動状態が該当する実施可能条件を満たすか否かを判定する。点検情報出力部は、判定された結果を出力する。
【図面の簡単な説明】
【００１１】
【図１】第１〜第５実施形態によるエレベータの点検作業支援システムの構成を示す全体図。
【図２】第１実施形態による点検作業支援装置の構成を示すブロック図。
【図３】第１実施形態による点検作業支援装置の点検項目データベースに格納された情報の一例を示す表。
【図４】第１実施形態による点検作業支援装置の動作を示すフローチャート。
【図５】第１実施形態による点検作業支援装置により表示情報が表示された状態を示す説明図。
【図６】第１実施形態による点検作業支援装置により表示された表示情報の表示例を示す画面構成図。
【図７】第２および第３実施形態による点検作業支援装置の構成を示すブロック図。
【図８】第２実施形態による点検作業支援装置の動作を示すフローチャート。
【図９】第３実施形態による点検作業支援装置の動作を示すフローチャート。
【図１０】第４実施形態による点検作業支援装置の構成を示すブロック図。
【図１１】第４実施形態による点検作業支援装置の動作を示すフローチャート。
【図１２】第５実施形態による点検作業支援装置の構成を示すブロック図。
【図１３】第５実施形態による点検作業支援装置の動作を示すフローチャート。
【発明を実施するための形態】
【００１２】
《第１実施形態》
〈第１実施形態によるエレベータの点検作業支援システムの構成〉
本発明の第１実施形態によるエレベータの点検作業支援システムの構成について、図１を参照して説明する。本実施形態による点検作業支援システム１Ａは、エレベータ１０の点検作業を支援するシステムであり、エレベータ１０内の複数の点検用品またはその近辺に貼付されたマーカ２−１〜２−４と、エレベータ情報送信装置３と、点検作業支援装置４Ａとを備える。エレベータ１０は、昇降路１１の上部の機械室１２に設置された巻上げ機１３と、巻上げ機１３に掛け渡されたロープの一端に吊り下げられた乗りかご１４と、乗りかご１４上に設置されたドアモータ１５と、機械室１２に設置されて乗りかご１４にテールコードで接続された制御盤１６と、昇降路１１の下部のピット１７に設置された緩衝器１８とを備える。
【００１３】
マーカ２−１は、点検用品である制御盤１６を識別する記号「Ｃ」が、当該制御盤１６の設置場所である機械室１２を識別する図形「□」の中に示された表示物であり、制御盤１６またはその近辺に貼付されている。またマーカ２−２は、点検用品である巻上げ機１３を識別する記号「Ｍ」が、当該巻上げ機１３の設置場所である機械室１２を識別する図形「□」の中に示された表示物であり、巻上げ機１３またはその周辺に貼付されている。また、マーカ２−３は、点検用品であるドアモータ１５を識別する記号「ＤＭ」が、当該ドアモータ１５の設置場所である乗りかご１４上を識別する図形「○」の中に示された表示物であり、ドアモータ１５またはその近辺に貼付されている。マーカ２−４は、点検用品である緩衝器１８を識別する記号「Ｂ」が、当該緩衝器１８の設置場所であるピット１７を識別する図形「△」の中に示された表示物であり、緩衝器１８またはその近辺に貼付されている。
【００１４】
エレベータ情報送信装置３は機械室１２に設置され、制御盤１６からエレベータ１０に供給される電力の電源状態や運転モードを含む稼働状態に関する情報を所定時間間隔で取得し、無線ＬＡＮや赤外線通信により点検作業支援装置４Ａに送信する。
【００１５】
点検作業支援装置４Ａは作業員により所持されるスマートデバイス等で構成され、図２に示すように、点検項目データベース４１と、撮像部４２と、マーカ情報解析部４３と、稼動状態判定部４４と、点検情報出力部４５とを有する。
【００１６】
点検項目データベース４１は、エレベータ１０の点検に関する情報、例えば点検用品の設置場所や、点検用品ごとの点検項目、および当該点検項目を実施するためのエレベータの稼動状態の条件である実施可能条件等を格納する。撮像部４２は、作業員の操作により静止画または動画による撮影処理を行う。マーカ情報解析部４３は、撮像部４２でマーカ２−１〜２−４のいずれかが撮影されると、得られた撮像情報を解析して、当該マーカで示される点検用品の設置場所の情報および点検用品の識別情報を取得する。稼動状態判定部４４は、マーカ情報解析部４３で取得された点検用品の設置場所の情報および点検用品の識別情報に基づいて、作業員が作業対象としている点検用品の点検項目および当該点検項目の実施可能条件を点検項目データベース４１から取得するとともに、エレベータ１０の現在の稼動状態を取得する。そして、取得した点検項目ごとに、エレベータ１０の現在の稼動状態が実施可能条件を満たすか否かを判定する。点検情報出力部４５は、稼動状態判定部４４で判定された結果を示す表示情報を生成し、作業員に報知するために出力する。
【００１７】
〈第１実施形態によるエレベータの点検作業支援システムの動作〉
次に、本実施形態によるエレベータの点検作業支援システム１Ａで実行される処理について説明する。本実施形態による点検作業支援システム１Ａの点検作業支援装置４Ａの点検項目データベース４１の一例を、図３に示す。図３に示す点検項目データベース４１には、予め設定された第１の点検項目「機械室１２に設置された制御盤１６の制御回路の電圧測定」と、第２の点検項目「機械室１２に設置された制御盤１６のプリント基板汚れの有無」と、第３の点検項目「機械室１２に設置された制御盤１６の端子緩みの有無」と、第４の点検項目「機械室１２に設置された巻上げ機１３のロープグリス固着の有無」と、第５の点検項目「かご上に設置されたドアモータ１５の減速機のギアオイルの補充」と、第６の点検項目「ピット１７の緩衝器１８のスプリング又はプランジャのさびの有無」とに関する情報が格納されており、これらの点検項目のうち第３の点検項目および第４の点検項目は、メインブレーカーが遮断されているときに実施可能であり、第５の点検項目および第６の点検項目は、点検運転モードで運転しているときに実施可能であることが示されている。また、点検用品の設置場所である機械室１２に対応するマーカの枠形状が四角であり、かご上に対応するマーカの枠形状が丸であり、ピット１７に対応するマーカの枠形状が三角であることを示す情報が格納されている。さらに、点検用品である制御盤１６に対応する記号が「Ｃ」であり、巻上げ機１３に対応する記号が「Ｍ」であり、ドアモータ１５に対応する記号が「ＤＭ」であり、緩衝器１８に対応する記号が「Ｂ」であることを示す情報が格納されている。
【００１８】
また本実施形態による点検作業支援システム１Ａの稼働中は、エレベータ情報送信装置３において制御盤１６から所定時間間隔でエレベータ１０の稼動状態に関する情報が取得され、点検作業支援装置４Ａに無線送信されている。
【００１９】
このように点検項目データベース４１に情報が格納され、点検作業支援装置４Ａにエレベータ１０の稼動状態に関する情報が送信されている状態で、作業員がエレベータ１０の機械室１２内の制御盤１６に関する点検を行うときに点検作業支援システム１Ａで実行される処理について、図４のフローチャートを参照して説明する。
【００２０】
まず、作業員が点検作業支援装置４Ａを所持して機械室１２に入り、点検作業支援装置４Ａの撮像部４２により制御盤１６に貼付されたマーカ２−１（図形「□」の中に記号「Ｃ」が示された表示物）を撮影する。撮影された撮像情報はマーカ情報解析部４３で解析され、被写体がマーカであることが認識されると（Ｓ１の「YES」）、当該マーカ２−１で示される点検用品の設置場所の情報である図形「□」および点検用品の識別情報である記号「Ｃ」が取得される。
【００２１】
次に、稼動状態判定部４４において点検項目データベース４１が参照され、マーカ情報解析部４３で取得された図形「□」に対応する点検用品の設置場所が機械室１２として特定される。そして、機械室１２に設置された点検用品として、制御盤１６および巻上げ機１３が抽出される。さらに、抽出された制御盤１６および巻上げ機１３のうち、マーカ情報解析部４３で取得された記号「Ｃ」に対応する制御盤１６が、点検対象として特定される。そして、特定された制御盤１６に関する点検項目が、「制御回路の電圧測定」、「プリント基板の汚れの有無」、「端子緩みの有無」であり、これらのうち点検項目「端子緩みの有無」に関する実施可能条件が「メインブレーカー遮断」であることを示す情報が、点検項目データベース４１から抽出される（Ｓ２）。
【００２２】
次に稼動状態判定部４４では、ステップＳ２で抽出された制御盤１６に関する点検項目および実施可能条件と、エレベータ情報送信装置３から送信されたエレベータ１０の現在の稼動状態に関する情報とに基づいて、取得した点検項目ごとに、エレベータ１０の現在の稼動状態が実施可能条件を満たすか否かが判定される（Ｓ３）。ここでは、点検項目「端子緩みの有無」に関して設定されている実施可能条件に基づいて、メインブレーカーが遮断されているか否かが判定される。判定の結果、エレベータ１０のメインブレーカーがオフ状態であり、制御盤１６に関するすべての点検項目の実施可能条件が満たされているとき（Ｓ３の「YES」）には、抽出された点検項目を示す表示情報が生成されて出力される（Ｓ４）。
【００２３】
ここで出力される表示情報は例えば、保守員が装着するウェアラブル端末の表示画面や、作業員が装着するメガネ型の拡張現実投影スクリーンに表示される。拡張現実投影スクリーンに表示情報が表示された状態の例を、図５に示す。図５では、機械室で制御盤１６の方向を見ている作業員が、装着したメガネ型の拡張現実投影スクリーンに表示された表示情報４５０を見ているときの視界を示す。ここで表示情報４５０には、図６（ａ）に示すように、制御盤１６に関する点検項目である「制御回路の電圧測定」、「プリント基板の汚れの有無」、および「端子緩みの有無」のテキスト情報が並べて表示されている。
【００２４】
またステップＳ３の判定処理において、制御盤１６に関して実施可能条件が満たされていない点検項目があると判定され（Ｓ３の「NO」）、且つ、取得されたエレベータ１０が点検運転モードで稼動していると判定されたとき（Ｓ５の「YES」）には、実施可能条件が満たされており点検の実施が可能な項目と、実施可能条件が満たされておらず点検の実施が不可能な項目とを区別し、点検不可能な項目に対する実施可能条件の情報を付加した表示情報が生成されて出力される（Ｓ６）。
【００２５】
ここで出力される表示情報では、例えば図６（ｂ）に示すように、点検の実施が可能な項目「制御回路の電圧測定」および「プリント基板汚れの有無」が通常フォントのテキスト情報で表示されるとともに、点検の実施が不可能な項目「端子緩みの有無」が太字や所定の色調の強調されたテキスト情報で表示され、さらに点検の実施が不可能な項目「端子緩みの有無」に対し、実施可能条件を示す「メインブレーカーカット！」のテキスト情報が併せて表示される。
【００２６】
またステップＳ３の判定処理において、制御盤１６に関して実施可能条件が満たされていない点検項目があると判定され（Ｓ３の「NO」）、且つ、取得されたエレベータ１０が点検運転モードで稼動していない（通常運転モードで稼動している）と判定されたとき（Ｓ５の「NO」）には、点検運転モードへの移行を指示するための表示情報が生成されて出力される（Ｓ７）。
【００２７】
ここで出力される表示情報では、例えば図６（ｃ）に示すように、「現在通常運転中。点検の際は点検運転モードへ移行すること。」のテキスト情報が表示される。
【００２８】
以上の第１実施形態の点検作業支援システムによれば、点検作業を行う作業員が点検する直前にエレベータの稼動状態に応じて点検項目とその実施可否、および実施不可能な点検項目の点検可能条件を確認することができ、点検作業を効率よく実施するための支援を行うことができる。また、この点検作業支援システムは、点検場所や点検用品を、図形や記号を用いたマーカを撮影した撮像情報を解析して認識するため、点検場所や点検用品を撮影した撮像情報を解析してこれらを認識するよりも認識時間を短縮するとともに認識精度を向上させて処理を行うことができる。またこのマーカは既設のエレベータ用品に対して簡易に取り付け可能であるため、特別な工事などが不要であり、容易にシステムを構築することが可能である。
【００２９】
《第２実施形態》
〈第２実施形態によるエレベータの点検作業支援システムの構成〉
本発明の第２実施形態によるエレベータの点検作業支援システム１Ｂは、図７に示すように、点検作業支援装置４Ｂが音声認識部４６、項目確認部４７、および情報更新部４８を有する他は、第１実施形態で説明した点検作業支援システム１Ａの構成と同様であるため、同一機能を有する部分の詳細な説明は省略する。
【００３０】
本実施形態において点検作業支援装置４Ｂの音声認識部４６は、作業員が発した音声をマイク装置等から入力してその内容を示す情報を認識する。項目確認部４７は、音声認識部４６で認識された音声内容が、稼動状態判定部４４で抽出された点検項目のいずれかに対応しているか否を確認する。情報更新部４８は、稼動状態判定部４４で抽出された点検項目に対応した内容の音声が入力されたと判断すると、点検情報出力部４５で出力していた表示情報から、該当する点検項目の表示を削除する。
【００３１】
〈第２実施形態によるエレベータの点検作業支援システムの動作〉
本実施形態による点検作業支援装置４Ｂを用いて作業員が点検作業を行う際に実行される処理について、図８のフローチャートを参照して説明する。図８において、ステップＳ１〜Ｓ７で実行される処理は、第１実施形態で説明した処理と同様であるため、詳細な説明は省略する。
【００３２】
ステップＳ４またはＳ６により表示情報が表示された後、作業員は、表示情報を視認して点検作業を開始し、いずれかの項目の作業が終了すると、当該終了した作業の項目を読み上げる。作業員が読み上げたときの音声内容は音声認識部４６で認識され、認識された音声内容が、稼動状態判定部４４で抽出された点検項目に対応しているか否かが項目確認部４７により確認される（Ｓ８）。
【００３３】
作業員により発せられた音声内容が、抽出された点検項目に対応している場合（Ｓ８の「YES」）には、点検情報出力部４５で出力していた表示情報から該当する点検項目の表示を削除するように、情報更新部４８により表示情報が更新される（Ｓ９）。
【００３４】
ステップＳ８およびＳ９の処理は、表示情報により表示されているすべての点検項目の点検作業が終了するまで繰り返され（Ｓ１０の「NO」）、すべての点検項目の作業が終了して表示が消えると（Ｓ１０の「YES」）、ステップＳ１に戻って、次の点検用品の点検作業を開始するためにマーカが認識されたか監視される。
【００３５】
以上の第２実施形態によれば、点検作業中の点検用品について、未実施の点検項目が明確に表示されるため、当該用品について点検漏れが発生することを回避することができ、効率よく点検作業を行うことができる。
【００３６】
《第３実施形態》
〈第３実施形態によるエレベータの点検作業支援システムの構成〉
本発明の第３実施形態によるエレベータの点検作業支援システム１Ｃの構成は、図７の示す第２実施形態による点検作業支援システム１Ｂの構成と同様であるため、同一機能を有する部分の詳細な説明は省略する。
【００３７】
本実施形態において点検作業支援装置４Ｃの点検情報出力部４５は、作業対象の点検用品と同じ設置場所の他の点検用品で点検が完了していない点検項目がある場合には、当該点検項目を、作業対象の点検用品の点検項目とともに表示する。
【００３８】
〈第３実施形態によるエレベータの点検作業支援システムの動作〉
本実施形態による点検作業支援装置４Ｃを用いて作業員が点検作業を行う際に実行される処理について、図９のフローチャートを参照して説明する。図９において、第１実施形態と同様に、作業員が作業対象としている点検用品の点検項目および当該点検項目の実施可能条件を点検項目データベース４１から取得すると、未実施の点検項目がある場合に（Ｓ１１の「YES」）、ステップＳ３〜Ｓ７を実行して表示情報を表示させる。
【００３９】
そして、ステップＳ４またはＳ６により、作業員が作業対象としている点検用品の点検項目、および当該点検項目に関し現在満たされていない実施可能条件が表示されたときに、同じ設置場所の他の点検用品で点検が完了していない点検項目がある場合には、当該点検項目も表示される（Ｓ１２）。これらが表示された後に実行されるＳ８〜Ｓ１０の処理は、第２実施形態で説明した処理と同様であるため、詳細な説明は省略する。
【００４０】
以上の第３実施形態によれば、作業対象の点検用品に関する未実施の点検項目だけでなく、作業中の点検場所における他の点検用品に関する未実施の点検項目も表示することにより、さらに効率よく、点検漏れを防いで点検作業を実施させることができる。
【００４１】
《第４実施形態》
〈第４実施形態によるエレベータの点検作業支援システムの構成〉
本発明の第４実施形態によるエレベータの点検作業支援システム１Ｄは、図１０に示すように点検作業支援装置４Ｄが動作認識部４９を有する他は、第２実施形態で説明した点検作業支援システム１Ｂの構成と同様であるため、同一機能を有する部分の詳細な説明は省略する。
【００４２】
本実施形態において点検作業支援装置４Ｄの動作認識部４９は、撮像部４２で作業員を撮影した撮像情報に基づいて、作業員が、点検作業を終了した点検用品を指さす動作を行ったときにこれを認識する。情報更新部４８は、稼動状態判定部４４で抽出された点検項目のいずれかに対応した内容の音声が入力されたと判断し、且つ、動作認識部４９で作業員により当該点検項目に対応する点検用品を指さす動作が行われたことが認識されると、点検情報出力部４５で出力していた表示情報から、該当する点検項目の表示を削除する。
【００４３】
〈第４実施形態によるエレベータの点検作業支援システムの動作〉
本実施形態による点検作業支援装置４Ｄを用いて作業員が点検作業を行う際に実行される処理について、図１１フローチャートを参照して説明する。図１１において、ステップＳ１〜Ｓ７で実行される処理は、第１実施形態で説明した処理と同様であるため、詳細な説明は省略する。
【００４４】
ステップＳ４またはＳ６により表示情報が表示された後、作業員により発せられた音声内容が、稼動状態判定部４４で抽出された点検項目に対応しており（Ｓ８の「YES」）、且つ、動作認識部４９で作業員により当該点検項目に対応する点検用品を指さす動作が行われたことが認識されると（Ｓ１３の「YES」）、点検情報出力部４５で出力していた表示情報から該当する点検項目の表示を削除するように、情報更新部４８により表示情報が更新される（Ｓ９）。
【００４５】
ステップＳ８、Ｓ１３、およびＳ９の処理は、表示情報により表示されているすべての点検項目の点検作業が終了するまで繰り返され（Ｓ１０の「NO」）、すべての点検項目の作業が終了して表示が消えると（Ｓ１０の「YES」）、ステップＳ１に戻って、次の点検用品の点検作業を開始するためにマーカが認識されたか監視される。
【００４６】
以上の第４実施形態によれば、点検作業中の点検用品について点検項目を表示させた後、実施済みの点検項目を削除するように表示情報を更新する処理を、さらに確実に精度よく実行することができる。
【００４７】
《第５実施形態》
〈第５実施形態によるエレベータの点検作業支援システムの構成〉
本発明の第５実施形態によるエレベータの点検作業支援システム１Ｅは、図１２に示すように、点検作業支援装置４Ｅが報告書作成部５０を有する他は、第３実施形態で説明した点検作業支援システム１Ｃの構成と同様であるため、同一機能を有する部分の詳細な説明は省略する。
【００４８】
本実施形態において点検作業支援装置４Ｅの情報更新部４８は、稼動状態判定部４４で抽出された点検項目に対応する内容の音声が入力されたと判断されると、当該音声内容に該当する点検項目の点検作業が終了したことを示す情報を生成して点検項目データベース４１に記憶させる。また報告書作成部５０は、点検情報出力部４５において、作業員が作業対象としている点検用品と同じ設置場所のすべての点検用品の点検が完了したと判断されると、点検項目データベース４１に記憶された情報に基づいて、点検作業の実施状況を所定形式のテキスト情報で示す点検作業報告書情報を作成する。
【００４９】
〈第５実施形態によるエレベータの点検作業支援システムの動作〉
本実施形態による点検作業支援装置４Ｅを用いて作業員が点検作業を行う際に実行される処理について、図１３のフローチャートを参照して説明する。図１３において、ステップＳ１〜Ｓ８、Ｓ１１、Ｓ１２で実行される処理は、第３実施形態で説明した処理と同様であるため、詳細な説明は省略する。
【００５０】
本実施形態において、作業対象の点検用品の点検項目等が表示されているときに、作業員が作業項目を読み上げた内容の音声が入力されると（Ｓ８の「YES」）、情報更新部４８により、表示情報が更新されるとともに、当該音声内容に該当する点検項目の点検作業が終了したことを示す情報が生成され、点検項目データベース４１に記憶される（Ｓ１４）。
【００５１】
そして、表示されている点検項目の点検作業が終了するまでステップＳ１２、Ｓ８、およびＳ１４の処理が繰り返され（Ｓ１０の「NO」）、すべての作業対象の点検が終了し、表示情報が更新されてすべての点検項目の表示が消えるとステップＳ１に戻る。その後、ステップＳ１１において、作業員が作業対象としている点検用品と同じ設置場所のすべての点検用品の点検が完了したと判断されると（Ｓ１１の「NO」）、点検項目データベース４１に記憶された情報が用いられて、報告書作成部５０により、点検作業の実施状況を所定形式のテキスト情報で示す点検作業報告書情報が作成される（Ｓ１５）。
【００５２】
以上の第５実施形態によれば、所定の設置場所に関するすべての点検用品の点検項目に関する作業が終了したときに、終了した点検作業に関する報告書情報が作成されるため、作業員がビルオーナーやビル管理会社に提出するための点検報告書の作成作業を軽減させることができる。
【００５３】
本発明のいくつかの実施形態を説明したが、これらの実施形態は、例として提示したものであり、発明の範囲を限定することは意図していない。これらの新規な実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれるとともに、特許請求の範囲に記載された発明とその均等の範囲に含まれる。
【符号の説明】
【００５４】
１Ａ，１Ｂ，１Ｃ，１Ｄ，１Ｅ…点検作業支援システム、２−１，２−２，２−３，２−４…マーカ、３…エレベータ情報送信装置、４Ａ，４Ｂ，４Ｃ，４Ｄ，４Ｅ…点検作業支援装置、１０…エレベータ、１１…昇降路、１２…機械室、１３…巻上げ機、１４…乗りかご、１５…ドアモータ、１６…制御盤、１７…ピット、１８…緩衝器、４１…点検項目データベース、４２…撮像部、４３…マーカ情報解析部、４４…稼動状態判定部、４５…点検情報出力部、４６…音声認識部、４７…項目確認部、４８…情報更新部、４９…動作認識部、５０…報告書作成部、４５０…表示情報
【図１】
2017119552.tif 000003
【図２】
2017119552.tif 000004
【図３】
2017119552.tif 000005
【図４】
2017119552.tif 000006
【図５】
2017119552.tif 000007
【図６】
2017119552.tif 000008
【図７】
2017119552.tif 000009
【図８】
2017119552.tif 000010
【図９】
2017119552.tif 000011
【図１０】
2017119552.tif 000012
【図１１】
2017119552.tif 000013
【図１２】
2017119552.tif 000014
【図１３】
2017119552.tif 000015